(57)【特許請求の範囲】
【請求項１】
デジタル放送用の第１のチューナを含む第１のデジタル放送受信部を有するデジタル放送受信装置と、該デジタル放送受信装置とＨＤＭＩ接続され、デジタル放送用の第２のチューナを含む第２のデジタル放送受信部と、デジタル放送の記録部と、を有するデジタル放送記録装置であって、前記ＨＤＭＩ接続を介して前記デジタル放送受信装置からのコマンドに従ってデジタル放送を録画するデジタル放送記録装置と、を有し、
前記デジタル放送記録装置に登録された予約処理が実行中であることを理由に前記デジタル放送受信装置における選局動作が禁止される期間中であっても、予約処理の終了時刻が確定した後に前記選局動作を許可し、
前記デジタル放送受信装置は、前記デジタル放送記録装置に登録された予約の開始時刻よりも第１の時間だけ前のタイミングで、前記デジタル放送記録装置に対して、予約番組を選局し録画開始するためのコマンドを送信し、
前記第１の時間が、予約番組の終了時刻情報の取得時間よりも後の場合に、前記第１の時間において前記選局動作を許可することを特徴とするデジタル放送受信システム。
【請求項２】
デジタル放送用の第１のチューナを含む第１のデジタル放送受信部を有するデジタル放送受信装置と、該デジタル放送受信装置とＨＤＭＩ接続され、デジタル放送用の第２のチューナを含む第２のデジタル放送受信部と、デジタル放送の記録部と、を有するデジタル放送記録装置であって、前記ＨＤＭＩ接続を介して前記デジタル放送受信装置からのコマンドに従ってデジタル放送を録画するデジタル放送記録装置と、を有し、
前記デジタル放送記録装置に登録された予約処理が実行中であることを理由に前記デジタル放送受信装置における選局動作が禁止される期間中であっても、予約処理の終了時刻が確定した後に前記選局動作を許可し、
前記デジタル放送受信装置は、前記デジタル放送記録装置に登録された予約の開始時刻よりも第１の時間だけ前のタイミングで、前記デジタル放送記録装置に対して、予約番組を選局し録画開始するためのコマンドを送信し、
前記第１の時間が、予約番組の終了時刻情報の取得時間よりも前の場合に、前記取得時刻において前記選局動作を許可することを特徴とするデジタル放送受信システム。
【請求項３】
前記デジタル放送受信装置は、
予約処理の終了時刻の確定した後に前記選局動作を許可する予約中選局許可フラグを付与する予約中選局許可フラグ付与手段を有することを特徴とする請求項１又は２に記載のデジタル放送受信システム。
【請求項４】
前記デジタル放送受信装置は、
前記予約の終了時刻、又は、前記予約の終了時刻よりも第２の時間だけ前または後のタイミングで、前記デジタル放送記録装置に対して、予約番組の録画を停止させるためのコマンドの送信をすることを特徴とする請求項１から３のいずれか一項に記載のデジタル放送受信システム。
【請求項５】
デジタル放送用の第１のチューナを含む第１のデジタル放送受信部を有するデジタル放送受信装置と、該デジタル放送受信装置とＨＤＭＩ接続され、デジタル放送用の第２のチューナを含む第２のデジタル放送受信部と、デジタル放送の記録部と、を有するデジタル放送記録装置であって、前記ＨＤＭＩ接続を介して前記デジタル放送受信装置からのコマンドに従ってデジタル放送を録画するデジタル放送記録装置と、を有するデジタル放送受信システムにおけるデジタル放送受信装置であって、
該デジタル放送記録装置に登録された予約処理が実行中であることを理由に前記デジタル放送受信装置における選局動作が禁止される期間中であっても、予約処理の終了時刻が確定した後に前記選局動作を許可し、
前記デジタル放送受信装置は、前記デジタル放送記録装置に登録された予約の開始時刻よりも第１の時間だけ前のタイミングで、前記デジタル放送記録装置に対して、予約番組を選局し録画開始するためのコマンドを送信し、
前記第１の時間が、予約番組の終了時刻情報の取得時間よりも後の場合に、前記第１の時間において前記選局動作を許可することを特徴とするデジタル放送受信装置。
【請求項６】
前記第１の時間が、予約番組の終了時刻情報の取得時間よりも前の場合に、前記取得時刻において前記選局動作を許可することを特徴とする請求項５に記載のデジタル放送受信システム装置。
【請求項７】
前記デジタル放送受信装置は、
予約処理の終了時刻の確定した後に前記選局動作を許可する予約中選局許可フラグを付与する予約中選局許可フラグ付与手段を有することを特徴とする請求項５又は６に記載のデジタル放送受信装置。
【請求項８】
前記デジタル放送受信装置は、
前記予約の終了時刻、又は、前記予約の終了時刻よりも第２の時間だけ前または後のタイミングで、前記デジタル放送記録装置に対して、予約番組の録画を停止させるためのコマンドの送信をすることを特徴とする請求項５から７のいずれか一項に記載のデジタル放送受信装置。
【請求項９】
デジタル放送用の第１のチューナを含む第１のデジタル放送受信部を有するデジタル放送受信装置と、該デジタル放送受信装置とＨＤＭＩ接続され、デジタル放送用の第２のチューナを含む第２のデジタル放送受信部と、デジタル放送の記録部と、を有するデジタル放送記録装置であって、前記ＨＤＭＩ接続を介して前記デジタル放送受信装置からのコマンドに従ってデジタル放送を録画するデジタル放送記録装置と、を有するデジタル放送受信システムにおけるデジタル放送記録装置であって、
前記デジタル放送記録装置に登録された予約処理が実行中であることを理由に前記デジタル放送受信装置における選局動作が禁止される期間中であっても、予約処理の終了時刻が確定した後に前記選局動作が許可され、
前記デジタル放送記録装置に登録された予約の開始時刻よりも第１の時間だけ前のタイミングで、前記デジタル放送記録装置に対して、予約番組を選局し録画開始するためのコマンドを送信し、
前記第１の時間が、予約番組の終了時刻情報の取得時間よりも後の場合に、前記第１の時間において前記選局動作を許可されることを特徴とするデジタル放送記録装置。
【発明の詳細な説明】
【技術分野】
【０００１】
本発明は、デジタル放送受信システムに関し、特に、デジタル放送受信装置と記録再生装置とをＨＤＭＩ規格で連携させ予約操作を行った場合のチューナの開放技術に関する。
【背景技術】
【０００２】
近年、デジタルＡＶ機器の増加に伴って、映像信号の隙間に音声信号を入れて伝送することができるＨＤＭＩ機能を持ったＡＶ機器が製造・販売されている。ＨＤＭＩは、デジタル伝送であるため信号の劣化が発生しない上に、接続先の機器の情報を読みとって出力形式を合わせたり、暗号化して伝送することにより違法コピーを防止するなどの双方向通信が可能であるという利点がある（例えば非特許文献１参照）。
【０００３】
さらに、デジタル放送受信装置とデジタル放送記録再生装置との間をＨＤＭＩ接続し、両者間で双方向通信を行うことにより、例えばデジタル放送受信装置側のリモコン装置を用いて、デジタル放送記録再生装置を制御するような機器連携を行うことができる。
【０００４】
【非特許文献１】"High-Definition Multimedia Interface Specification Version 1.1  May 20,2004"，２００４年  ５月２０日，page CEC-21 〜 page CEC-36  "CEC13  CEC Features Description"，URL:http://www.hdmi.org/download/HDMI_Specification_1.1.pdf
【発明の開示】
【発明が解決しようとする課題】
【０００５】
上記技術を用いると、例えば、デジタル放送受信装置側のリモコン装置を用いてデジタル放送記録再生装置における録画予約を行うこともできる。図１５は、ＨＤＭＩを用いた機器連携例を示すチャート図である。図１５（Ａ）に示すように、ケース１・２のいずれの場合でも、ＨＤＭＩを用いた機器連携により、デジタル放送受信装置側のリモコン装置を用いてデジタル放送記録再生装置における録画予約を行うと、例として予約録画の開始時間の２５秒前に予約実行中フラグが、「アイドル」から「実行中」に変更され、番組終了時刻が検出された後であってもデジタル放送受信装置側における選局ができなくなる。その理由は、デジタル放送受信装置側のチューナを利用して番組時間の変更などの番組情報を取得する必要があるからである。そして、実際の予約に基づく録画処理が終了した時点で、予約実行中フラグが、「実行中」から「アイドル」に変更され、デジタル放送受信装置側における選局が可能になる。
【０００６】
さらに詳細に説明する。図１６は、予約開始時刻の２５秒前におけるターマーに基づく処理の一例を示す図である。ステップＳ１０１において、予約開始時刻２５秒前タイマーハンドラ（処理）を開始し、ステップＳ１０２において、予約実行中フラグを「実行中」に設定する。ステップＳ１０３において、予約開始時刻変更フラグを「変更無」に設定する。ステップＳ１０４において、予約開始済フラグを「未」に設定する。ステップＳ１０５において、予約チャネルを選局し、ステップＳ１０６において予約開始時刻１０秒前に（タイマーが働くように）予約開始時刻１０秒前タイマーをセットする。
【０００７】
次に、図１７の処理に進み、予約開始時刻１０秒前タイマーハンドラ２を開始し、予約開始時刻変更フラグは「変更有」であるか否かを判定する。変更有りであれば（ＹＥＳ）、ステップＳ１１３に進み予約実行中フラグを「アイドル」に設定し、ステップＳ１１４において、予約データ有効フラグを「無効」に設定して処理を終了する（ステップＳ１１５）。これにより、予約は取り消される。
【０００８】
ステップＳ１１２においてＮＯであれば、ステップＳ１１６に進み、予約開始済フラグを「済」に設定し、ステップＳ１１７において録画機器に録画コマンドを送信する。次いで、ステップＳ１１８において、予約データ上の番組時間長は有効値かどうかを判定し、有効値でなければ（ＮＯ）、ステップＳ１１９に進み、予約データ上の番組開始時刻の４８時間後に予約終了タイマーをセットし、処理を終了する（ステップＳ１２０）。
【０００９】
ステップＳ１１８においてＹＥＳであれば、ステップＳ１２１に進み、予約データ上の番組開始時刻、及び、予約データ上の番組時間長を用いて番組終了時刻を算出し、番組終了時刻に予約終了タイマーセットし、ステップＳ１２２において処理を終了する。
【００１０】
次に、予約番組ＥＩＴ処理において、予約開始済みフラグが「未」でない場合に、予約終了時刻判定処理を行うが、図１８は、その処理の流れを示す図である。図１８に示すように、ステップ１３１の予約終了時刻判定処理においては、ステップＳ１３２においてＥＩＴ上の番組開始時刻は有効値か否かを判定する。有効でない場合には（ＮＯ）、ステップＳ１３３に進み処理を終了する。有効な場合には（ＹＥＳ）、ステップＳ１３４に進み、ＥＩＴ上の番組開始時刻、及び、ＥＩＴ上の番組時間長を、それぞれ、予約データ上の番組開始時刻、及び、予約データ上の番組時間長に上書きする。
【００１１】
次いで、ステップＳ１３５において、予約データ上の番組時間長は有効値か否かを判定し、ＮＯであればステップＳ１３６に進み、予約データ上の番組開始時刻の例えば４８時間後に予約終了タイマーセットし直し、処理を終了する（ステップＳ１３７）。
【００１２】
一方、ＹＥＳであれば、ステップＳ１３８に進み、予約データ上の番組開始時刻、及び、予約データ上の番組時間長を用いて番組終了時刻を算出し、番組終了時刻に予約終了タイマーセットし直し処理を終了する（ステップＳ１３９）。
【００１３】
図１９は、最終的なユーザ選局処理（Ｓ１４１）の流れを示す図であり、ステップＳ１４２においてユーザの選局処理を検知すると、ステップＳ１４３に進み、予約実行フラグが実行中であるか否かを判定し、ＮＯであればステップＳ１４４で所望の選局を行い、ＹＥＳであればステップＳ１４５で例えば「予約実行中であり選局できない」旨の警告を行う。
【００１４】
このように、一旦、デジタル放送受信装置側で予約録画指示すると、デジタル放送記録再生装置における録画予約に基づく録画処理が終了するまで、デジタル放送受信装置側におけるチューナは開放されず、別の番組を視聴するなどの要求に応えることができないという問題があった。
【００１５】
本発明は、デジタル放送受信装置側におけるチューナは早めに開放することを目的とする。
【課題を解決するための手段】
【００１６】
本発明の一観点によれば、デジタル放送用の第１のチューナを含む第１のデジタル放送受信部を有するデジタル放送受信装置と、該デジタル放送受信装置とＨＤＭＩ接続され、デジタル放送用の第２のチューナを含む第２のデジタル放送受信部と、デジタル放送の記録部と、を有するデジタル放送記録装置であって、前記ＨＤＭＩ接続を介して前記デジタル放送受信装置からのコマンドに従ってデジタル放送を録画するデジタル放送記録装置と、を有し、前記デジタル放送記録装置に登録された予約処理が実行中であることを理由に前記デジタル放送受信装置における選局動作が禁止される期間中であっても、予約処理の終了時刻が確定した後に前記選局動作を許可することを特徴とするデジタル放送受信システムが提供される。
【００１７】
前記デジタル放送記録装置に登録された予約処理が実行中であること、前記デジタル放送受信装置の前記第１のチューナを利用して番組時間の変更などの番組情報を取得する必要がある。このような第１のチューナの選局動作が禁止される期間中であっても、番組時間が確定した後であれば、デジタル放送受信装置側の第１のチューナを番組情報の取得処理から開放する。第１のチューナを早めに開放することにより、第１のチューナを用いた視聴等が自由になる。
【００１８】
前記デジタル放送受信装置は、予約処理の終了時刻の確定した後に前記選局動作を許可する予約中選局許可フラグを付与する予約中選局許可フラグ付与手段を有することが好ましい。前記デジタル放送受信装置は、前記デジタル放送記録装置に登録された予約の開始時刻よりも第１の時間だけ前のタイミングで、前記デジタル放送記録装置に対して、予約番組を選局し録画開始するためのコマンドを送信することが好ましい。前記第１の時間が、予約番組の終了時刻情報の取得時間よりも後の場合に、前記第１の時間において前記選局動作を許可することが好ましい。前記第１の時間が、予約番組の終了時刻情報の取得時間よりも前の場合に、前記取得時刻において前記選局動作を許可することが好ましい。
【００１９】
前記デジタル放送受信装置は、前記予約の終了時刻、又は、前記予約の終了時刻よりも第２の時間だけ前または後のタイミングで、前記デジタル放送記録装置に対して、予約番組の録画を停止させるためのコマンドの送信をすることが好ましい。終了時刻より前または同じまたは後に録画停止することができる。この際、ハードウエアの特性に従って微調整することができる。
【００２０】
本発明は、それぞれの装置個別に構成することができる。
また、下記のフローチャート図に記載の方法、これらの方法をコンピュータに実行させるためのプログラムも本発明の範疇に入るものである。
【発明の効果】
【００２１】
本発明によれば、録画機器側での予約録画処理が終了する前でも、テレビジョン受信装置側のチューナが開放され、録画している番組とは異なる番組をテレビジョン受信装置側で視聴することができる。これにより、テレビジョン受信装置側がダブルチューナでない場合であっても、予約録画処理中に他の番組を視聴できるため、ユーザの自由度が高まるという利点がある。
【発明を実施するための最良の形態】
【００２２】
本明細書において、「ＥＩＴ」とは、Ｅｖｅｎｔ Ｉｎｆｏｒｍａｔｉｏｎ Ｔａｂｌｅ（イベント情報テーブル）の略語である。ＥＩＴには、放送番組名、放送日時、番組内容など、番組に関する情報が記載されている。地上デジタルテレビジョン放送では、固定受信機での表示を目的としたH-EIT、移動受信機での表示を目的としたM-EIT、部分受信機での表示を目的としたL-EITを運用している。尚、ＥＩＰ  ｐｒｅｓｅｎｔ（ＥＩＴ  ｐ）は、ＥＩＴの現在番組情報（ｐ）であり、ＥＩＰ  ｆｏｌｌｏｗｉｎｇ（ＥＩＴ  ｆ）は、ＥＩＴの次番組情報（ｆ）である。
【００２３】
以下、本発明の一実施の形態によるデジタル放送受信技術について図面を参照しながら説明を行う。図１から図３までは、本実施の形態によるデジタル放送受信システムの概要を示す図である。図３に示すように、本実施の形態によるシステムは、それぞれがＨＤＭＩ規格に基づく、例えばデジタルテレビジョン受信装置Ａと、ＤＶＤ（ＨＤＤ）レコーダーＢと、これらを端子５・５５により接続するＨＤＭＩケーブルとを有している。制御信号（ＣＥＣ）は、双方向で流れる。以下に示すように、両方の装置はそれぞれチューナを有している。
【００２４】
また、図１に示すように、デジタル放送受信装置Ａは、アンテナ１と、デジタル放送のチューナを含むデジタル放送受信部３と、ＨＤＭＩインターフェイス部５と、ＨＤＭＩ信号処理部７と、デコーダ１１と、リモコン受光部１５と、音声信号の処理を行う音声信号処理部２５と、処理後の音声信号に基づく音声を出力するスピーカ２１と、映像信号の処理を行う映像信号処理部２７と、処理後の映像信号に基づく映像を出力するディスプレイ２３と、これらの各機能ブロックについてバスラインを通して制御する制御部（ＣＰＵ）１７と、下記の処理を行うためのプログラムその他の情報を記憶する記憶部１８と、を有している。
【００２５】
図２に示すように、ＤＶＤ（ＨＤＤ）レコーダ（記録再生装置）Ｂは、アンテナ４１と、デジタルチューナ４３と、ＨＤＭＩ信号処理部４５と、制御部４７と、リモコン受光部５１と、記憶部（ＨＤＤ）５３と、ＨＤＭＩインターフェイス部５５と、電子番組表取得部５７と、ＤＶＤなどの光ディスク駆動部６３と、操作部６７と、を有している。それぞれは、対応するリモコン装置により操作することが可能である。
【００２６】
図４は、本実施の形態によるシステムにおいて用いられるシステム管理フラグ（Ａ）と、予約データ構成例（Ｂ）と、予約管理フラグ（Ｃ）と、を示す図である。図４（Ａ）に示すように、システム管理フラグには、予約データが有効であるか否かを示す予約データ有効フラグと、予約を実行中であるか否かを示す予約実行中フラグと、が設けられている。
【００２７】
予約データ中には、オリジナルネットワークＩＤと、チャネル番号などのサービスＩＤと、番組開始時刻（日時）と、番組時間長と、が設けられている。番組開始時刻（日時）と、番組時間長と、は、有効値又は未定である旨を示す値が示される。
【００２８】
予約管理フラグ（Ｃ）は、予約中選局許可フラグと、予約開始時刻変更フラグと、予約開始済フラグと、を含む。本実施の形態では、新たに、予約中選局許可フラグが設けられた点に特徴がある。予約中選局許可フラグは、ユーザーによって登録された予約の実行中であることを理由にユーザーの選局動作が禁止される期間であるにかかわらず、ユーザーの選局動作を許可するために特別に設けたフラグである。
【００２９】
次に、図５を参照しながら、予約録画に関する時間経過に沿った処理の流れについて説明する。ケース１とケース２とについて説明する。ケース１では、予約開始２５秒前の時点から予約開始１０秒前の時点までに予約録画の終了時刻が確定したＥＩＴを取得したケースである。
【００３０】
予約録画の終了時刻が確定したＥＩＴを取得した場合には、例えば予約開始１０秒前において、それまで選局禁止になっていた予約中選局許可フラグを選局許可に変更する処理を行う。これにより、予約録画が終了するまで待たなくても、予約中選局許可フラグが選局許可に変更したタイミングから後であれば、ユーザはデジタル放送受信装置Ａのチューナを、予約録画のための番組情報取得処理から開放することで、別の番組を視聴することが許可される。尚、ケース２の場合には、予約中選局許可フラグを選局許可に変更可能な時点は、終了時刻が確定したＥＩＴが取得できた時点である。いずれの場合も、予約録画処理の終了時刻まで待たずに、テレビジョン受信装置側で予約録画とは独立したチャネルを視聴等することができる。
【００３１】
次に、上記の例と対比させながら、本実施の形態によるシステムにおけるテレビジョン受信装置側からみた処理の流れについて説明を行う。図６に示すように、システム起動時の処理が開始されると（ステップＳ１）、ステップＳ２において予約実行中フラグを「アイドル」に設定し、ステップＳ３において予約データ有効フラグを「無効」に設定し、処理を終了する（ステップＳ４）。
【００３２】
次に、図７に示すように、ユーザー予約登録処理を開始し（ステップＳ５）、ステップＳ６において、予約データ有効フラグは「有効」か否かを判定する。有効（ＹＥＳ）であれば待ち、無効（ＮＯ）になったら、ステップＳ７においてユーザー予約登録を待ち、予約登録されると、ステップＳ８において予約データ作成し予約データ有効フラグを「有効」に設定する。次いで、ステップＳ９において、予約開始時刻２５秒前に（タイマーが働くように）予約開始時刻２５秒前タイマーをセットする。
【００３３】
次いで、図８に示すように、予約開始時刻２５秒前タイマーハンドラの処理を開始し（ステップＳ１１）、ステップＳ１２において、予約実行中フラグを「実行中」に設定する。ステップＳ１３において、予約中選局許可フラグを「選局禁止」に設定しテレビジョン受信装置側のチューナによる選局を禁止する。次いで、ステップＳ１４において予約開始時刻変更フラグを「変更無」に設定し、ステップＳ１５において予約開始済フラグを「未」に設定する。ステップＳ１６において、予約チャンネルを選局し、ステップＳ１７において予約開始時刻１０秒前に（タイマーが働くように）予約開始時刻１０秒前タイマーをセットし処理を終了する（ステップＳ１８）。
【００３４】
次いで、図９に示すように、ステップＳ２１において予約開始時刻１０秒前タイマーハンドラの処理を開始し、ステップＳ２２において、予約開始時刻変更フラグは「変更有」であるか否かを判定する。変更がある（ＹＥＳ）場合には、変更があったわけであるから、ステップＳ２３に進み予約実行中フラグを「アイドル」に設定し、ステップＳ２４において、予約データ有効フラグを「無効」に設定し、処理を終了する（ステップＳ２５）。これにより、番組の開始時刻が変更されているのに録画を開始して記録メディアを無駄に消費することを防ぐ。
【００３５】
一方、ＮＯの場合には、変更はないわけであるから、ステップＳ２６において、予約開始済フラグを「済」に設定し、ステップＳ２７においてレコーダ（録画機器）に対して録画コマンドを送信する。次いで、ステップＳ２８において、予約データ上の番組時間長は有効値か否かを判定する。有効値でない（ＮＯ）の場合には、ステップＳ２９に進み、予約データ上の番組開始時刻の例えば４８時間後（長い時間）に予約終了タイマーをセットし、処理を終了する（ステップＳ３０）。
【００３６】
一方、ＹＥＳの場合には、ステップＳ３１において、予約データ上の番組開始時刻、及び、予約データ上の番組時間長を用いて、番組終了時刻を算出し、番組終了時刻に（タイマーが働くように）予約終了タイマーをセットし、ステップＳ３２において、予約中選局許可フラグを「選局許可」に設定し、処理を終了する（ステップＳ３３）。これにより、テレビジョン受信装置側のチューナを開放し、録画機器において予約録画をしていても、別の番組の視聴が可能となる。
【００３７】
予約終了タイマーが働く時刻になると、図１０に示すように、まず、予約終了タイマーハンドラ処理を開始し（ステップＳ４１）、ステップＳ４２において、録画機器に録画停止コマンドを送信する。次いで、ステップＳ４３において、予約実行中フラグを「アイドル」に設定し、ステップＳ４４において予約データ有効フラグを「無効」に設定し、処理を終了する（ステップＳ４５）。これにより録画処理を解除することができる。
【００３８】
ＥＩＴ[ｐｒｅｓｅｎｔ]（ＥＩＴｐ）が取得された場合には、図１１（Ａ）に示すように、ステップＳ５１においてＥＩＴｐ取得時ハンドラ処理を開始し、ステップＳ５２において予約番組に関するＥＩＴであるか否かを判定する。ＮＯの場合には処理を終了し（ステップＳ５４）、ＹＥＳの場合には後述する予約番組ＥＩＴ処理サブルーチンに進む。
【００３９】
ＥＩＴ[ｆｏｌｌｏｗｉｎｇ]（ＥＩＴｆ）が取得された場合には、図１１（Ｂ）に示すように、ステップＳ５５においてＥＩＴｆ取得時ハンドラ処理を開始し、ステップＳ５６において、予約番組に関するＥＩＴか否かを判定する。ＮＯの場合には、処理を終了し（ステップＳ５８）、ＹＥＳの場合には、ステップＳ５７において、後述する予約番組ＥＩＴ処理サブルーチンに進む。
【００４０】
図１２は前述の予約番組ＥＩＴ処理サブルーチンの処理の流れを示すフローチャート図である。図１２に示す処理Ｓ６１においては、ステップＳ６２において、予約実行中フラグは「実行中」であるか否かを判定する。ＮＯの場合には処理を終了し（ステップＳ６３）、ＹＥＳの場合にはステップＳ６４において予約開始済フラグは「未」であるか否かを判定する。ＮＯの場合には、ステップＳ６５において予約終了時刻判定処理サブルーチン処理に進み処理を終了する（ステップＳ６６）。
【００４１】
ＹＥＳの場合には、ステップＳ６７に進み、ＥＩＴ上の番組開始時刻は有効値であり、かつ、予約データ上の番組開始時刻と同じか否かを判定する。ＮＯの場合には、番組開始時間が変更されたと推定され、ステップＳ６８において、予約開始時刻変更フラグを「変更有」に設定する。一方、ＹＥＳの場合には、ステップＳ６９において予約開始時刻変更フラグを「変更無」に設定し、いずれの場合も、ステップＳ７０においてＥＩＴ上の番組時間長を予約データ上の番組時間長に上書きすることでＥＩＴ情報を反映させ、処理を終了する（ステップＳ７１）。
【００４２】
図１３は前述の予約終了時刻判定処理サブルーチンの処理の流れを示すフローチャートである。ステップＳ８１において、予約終了時刻判定処理サブルーチン処理を開始し、ステップＳ８２において、ＥＩＴ上の番組開始時刻は有効値か否かを判定し、ＮＯの場合には、処理を終了する（ステップＳ８３）。ＹＥＳの場合には、ＥＩＴ上の番組時間長は有効値か否かを判定し（ステップＳ８４）、ＥＩＴ上の番組開始時刻、及び、ＥＩＴ上の番組時間長を、それぞれ、予約データ上の番組開始時刻、及び、予約データ上の番組時間長に上書きし（ステップ８６）、次いで、ステップＳ８７において予約データ上の番組開始時刻、及び、予約データ上の番組時間長を用いて番組終了時刻を算出し、番組終了時刻に（タイマーが働くように）予約終了タイマーセットし直し、ステップＳ８８において、予約中選局許可フラグを「選局許可」に設定し、処理を終了する（ステップＳ８９）。これにより、テレビジョン受信装置側でのチューナによる視聴が可能となる。
【００４３】
図１４に示すように、上記の状態においてユーザー選局処理を開始すると（ステップＳ９１）、ステップＳ９２においてユーザー選局操作を検出し、ステップＳ９３において、予約実行中フラグは「実行中」であるか否かを判定し、ＮＯの場合には、ステップＳ９５で選局を行う。ＹＥＳの場合には、ステップＳ９４に進み、予約中選局許可フラグは「選局許可」であるか否かを判定し、ＹＥＳの場合には、同様にステップＳ９４の選局処理に進む。ＮＯの場合には、例えば予約実行中であり選局できない旨の表示によりユーザに報知する。
【００４４】
以上の処理により、録画機器側での予約録画処理が終了する前でも、テレビジョン受信装置側のチューナが開放され、録画している番組とは異なる番組をテレビジョン受信装置側で視聴することができる。これにより、テレビジョン受信装置側がダブルチューナでない場合であっても、予約録画処理中に他の番組を視聴できるため、ユーザの自由度が高まるという利点がある。
【００４５】
さらに、途中で時間変更を検出した場合には、この時点で予約の終了時刻を設定し、かつ、チューナを開封するので、番組の終了時刻より前または後に録画終了してしまうことを防ぐことができ、かつ、他の番組を視聴できユーザの自由度が高まるという利点がある。
【００４６】
尚、上記の例では、テレビジョン受信装置側のチューナを開放する例について説明したが、テレビジョン受信装置と記録再生装置とを入れ替え、記録再生装置側のチューナを開放するようにすることもできる。
【産業上の利用可能性】
【００４７】
本発明は、録画装置とテレビジョン受信装置とを含むテレビジョン受信システムに利用可能である。
【図面の簡単な説明】
【００４８】
【図１】本発明の一実施の形態によるデジタル放送受信装置の一構成例を示す図である。
【図２】ＤＶＤ（ＨＤＤ）レコーダ（記録再生装置）の一構成例を示す図である。
【図３】本実施の形態によるシステム構成例を示す図である。
【図４】本実施の形態によるシステムにおいて用いられるシステム管理フラグ（Ａ）と、予約データ構成例（Ｂ）と、予約管理フラグ（Ｃ）と、を示す図である。
【図５】予約録画に関する時間経過に沿った処理の流れの２つのケースを示す図である。
【図６】本実施の形態によるシステムにおけるテレビジョン受信装置側からみたシステム起動時の処理を示す図である。
【図７】ユーザー予約登録処理の流れを示すフローチャート図である。
【図８】予約開始時刻２５秒前タイマーハンドラの処理の流れを示すフローチャート図である。
【図９】予約開始時刻１０秒前タイマーハンドラの処理の流れを示すフローチャート図である。
【図１０】予約終了タイマーハンドラ処理の流れを示す図である。
【図１１】図１１（Ａ）はＥＩＴｐ取得時ハンドラ処理を、図１１（Ｂ）は、ＥＩＴｆ取得時ハンドラ処理の流れを示すフローチャート図である。
【図１２】予約番組ＥＩＴ処理サブルーチン処理の流れを示すフローチャート図である。
【図１３】予約終了時刻判定処理サブルーチン処理の流れを示すフローチャート図である。
【図１４】最終的なユーザ選局処理の流れを示すフローチャート図である。
【図１５】通常のＨＤＭＩを用いた機器連携例を示すチャート図である。
【図１６】通常の予約開始時刻の２５秒前におけるターマーに基づく処理の一例を示す図である。
【図１７】通常の予約開始時刻１０秒前タイマーハンドラの処理の流れを示すフローチャート図である。
【図１８】通常の予約番組ＥＩＴ処理において、予約開始済みフラグが「未」でない場合に行われる、予約終了時刻判定処理の流れを示すフローチャート図である。
【図１９】通常の最終的なユーザ選局処理の流れを示すフローチャート図である。
【符号の説明】
【００４９】
Ａ…デジタル放送受信装置、１…アンテナ、３…デジタル放送受信部、５…ＨＤＭＩインターフェイス部、７…ＨＤＭＩ信号処理部、１１…デコーダ、１５…リモコン受光部、１７…制御部（ＣＰＵ）、１８…記憶部２３…ディスプレイ、２５…音声信号処理部、２７…映像信号処理部。
【図１】
0004991414.tif 000002
【図２】
0004991414.tif 000003
【図３】
0004991414.tif 000004
【図４】
0004991414.tif 000005
【図５】
0004991414.tif 000006
【図６】
0004991414.tif 000007
【図７】
0004991414.tif 000008
【図８】
0004991414.tif 000009
【図９】
0004991414.tif 000010
【図１０】
0004991414.tif 000011
【図１１】
0004991414.tif 000012
【図１２】
0004991414.tif 000013
【図１３】
0004991414.tif 000014
【図１４】
0004991414.tif 000015
【図１５】
0004991414.tif 000016
【図１６】
0004991414.tif 000017
【図１７】
0004991414.tif 000018
【図１８】
0004991414.tif 000019
【図１９】
0004991414.tif 000020